(57)【要約】【課題】水底に起伏が存在する場合でも汚濁防止膜の下端と水底との間に隙間が生じにくいようにした汚濁防止装置及び汚濁防止膜を提供する。【解決手段】この汚濁防止装置は、水面に浮上可能なフロート部と、水中での汚濁の拡散を防止するためにフロート部に連結されて水底へと垂下可能な汚濁防止膜１２と、を備え、汚濁防止膜１２は、汚濁防止膜の垂下方向に直交する方向に延びることのできる折りたたみ構造を少なくとも下端側に備える。【選択図】図２
2010189892.tif 000002
【特許請求の範囲】
【請求項１】
水面に浮上可能なフロート部と、
水中での汚濁の拡散を防止するために前記フロート部に連結されて水底へと垂下可能な汚濁防止膜と、を備え、
前記汚濁防止膜は、前記汚濁防止膜の垂下方向に直交する方向に延びることのできる折りたたみ構造を少なくとも下端側に備えることを特徴とする汚濁防止装置。
【請求項２】
前記折りたたみ構造は、前記汚濁防止膜が折り目部で折りたたみ方向が交互に反転して折りたたまれた折りたたみ部を有し、前記汚濁防止膜の下端が水底に達したとき前記折りたたみ部で前記水底の形状に追随するようにした請求項１に記載の汚濁防止装置。
【請求項３】
前記汚濁防止膜の下端に錘が前記折りたたみ部毎に設けられている請求項２に記載の汚濁防止装置。
【請求項４】
前記汚濁防止膜は前記フロート部に設けられた駆動手段により前記汚濁防止膜全体が持ち上げ可能である請求項１乃至３のいずれか１項に記載の汚濁防止装置。
【請求項５】
前記汚濁防止膜は前記フロート部に設けられた駆動手段により前記汚濁防止膜の下端が吊り上げ可能である請求項１乃至４のいずれか１項に記載の汚濁防止装置。
【請求項６】
水中での汚濁の拡散を防止するために水底へと垂下可能な汚濁防止膜であって、前記汚濁防止膜の垂下方向に直交する方向に延びることのできる折りたたみ構造を少なくとも下端側に備えることを特徴とする汚濁防止膜。
【発明の詳細な説明】
【技術分野】
【０００１】
本発明は、浚渫や埋立や杭打設等の水中工事において使用可能な汚濁防止装置及び汚濁防止膜に関する。
【背景技術】
【０００２】
従来、浚渫工事や埋立工事や水底での杭打ち工事等において発生した汚濁が周囲の水域に拡散して水質汚染の原因となることを防ぐために汚濁防止枠を水中に設置している。汚濁防止枠は、水面に浮上するフロートに汚濁防止膜をカーテン状に垂れ下がるようにして取り付け、工事水域を包囲するようにして設置される。また、汚濁防止膜の下端が水底に沿って定着できるように下端にチェーン等の錘が取り付けられている（例えば、特許文献１，２参照）。
【先行技術文献】
【特許文献】
【０００３】
【特許文献１】特開平０９−５３２２１号公報
【特許文献２】特開２００５−６８９３０号公報
【発明の概要】
【発明が解決しようとする課題】
【０００４】
上述のような水中工事は、必ずしも平坦な水底で行われるとは限らず、水底に起伏があると、汚濁防止枠と起伏のある水底との間に隙間ができ易くなり、その隙間から工事に伴って発生する濁りが工事水域外へと拡散する可能性が生じてしまう。汚濁防止膜の下端にチェーン等の錘が取り付けられている場合、水底の起伏が緩やかであれば隙間は生じにくいが、起伏が激しくなると、やはり水底との間に隙間が生じやすくなってしまう。
【０００５】
本発明は、上述のような従来技術の問題に鑑み、水底に起伏が存在する場合でも汚濁防止膜の下端と水底との間に隙間が生じにくいようにした汚濁防止装置及び汚濁防止膜を提供することを目的とする。
【課題を解決するための手段】
【０００６】
上記目的を達成するために、本実施形態による汚濁防止装置は、水面に浮上可能なフロート部と、水中での汚濁の拡散を防止するために前記フロート部に連結されて水底へと垂下可能な汚濁防止膜と、を備え、前記汚濁防止膜は、前記汚濁防止膜の垂下方向に直交する方向に延びることのできる折りたたみ構造を少なくとも下端側に備えることを特徴とする。
【０００７】
この汚濁防止装置によれば、汚濁防止膜の下端側が汚濁防止膜の垂下方向に直交する方向に延びることのできる折りたたみ構造を有しているので、水底に起伏が存在しても、汚濁防止装置が設置されて汚濁防止膜の下端が起伏に当たると、汚濁防止膜が下端側で延びて変形することで水底の起伏の形状に追随することができる。これにより、水底に大きな起伏があっても汚濁防止膜の下端と水底との間に隙間が生じにくくなるので、対象の水域内で発生した汚濁が水域外に拡散することを確実に抑制できる。
【０００８】
上記汚濁防止装置において前記折りたたみ構造は、前記汚濁防止膜が折り目部で折りたたみ方向が交互に反転して折りたたまれた折りたたみ部を有し、前記汚濁防止膜の下端が水底に達したとき前記折りたたみ部で前記水底の形状に追随するようにできる。
【０００９】
また、前記汚濁防止膜の下端に錘が前記折りたたみ部毎に設けられていることが好ましい。
【００１０】
また、前記汚濁防止膜は前記フロート部に設けられた駆動手段により前記汚濁防止膜全体が持ち上げ可能であることが好ましく、水底に起伏が存在するために汚濁防止膜に弛みが生じるような場合、汚濁防止膜を持ち上げることでかかる弛みを除去できる。なお、汚濁防止膜の持ち上げに関し、汚濁防止膜の上端または汚濁防止膜の中間から下の部分を持ち上げるように構成できる。
【００１１】
前記汚濁防止膜は前記フロート部に設けられた駆動手段により前記汚濁防止膜の下端が吊り上げ可能であることが好ましく、吊り上げ量を調整することで汚濁防止膜の下端を水底の形状に確実に合わせることができる。
【００１２】
本実施形態の汚濁防止膜は、水中での汚濁の拡散を防止するために水底へと垂下可能な汚濁防止膜であって、前記汚濁防止膜の垂下方向に直交する方向に延びることのできる折りたたみ構造を少なくとも下端側に備えることを特徴とする。
【００１３】
この汚濁防止膜によれば、汚濁防止膜の垂下方向に直交する方向に延びることのできる折りたたみ構造を有しているので、汚濁防止膜が上述のような汚濁防止装置に適用されて水中に設置された場合、水底に起伏が存在しても、汚濁防止膜の下端が起伏に当たると、汚濁防止膜が下端側で延びて変形することで水底の起伏の形状に追随することができる。これにより、水底に大きな起伏があっても汚濁防止膜の下端と水底との間に隙間が生じにくくなるので、対象の水域内で発生した汚濁が水域外に拡散することを確実に抑制できる。
【００１４】
なお、上記汚濁防止膜の折りたたみ構造は、前記汚濁防止膜が折り目部で折りたたみ方向が交互に反転して折りたたまれた折りたたみ部を有することが好ましい。
【００１５】
また、上記汚濁防止膜は、全体的に折りたたみ構造を有する構成であってよいが、上側（水面側）と下側（水底側）との分割構造としてもよく、この場合は、上側を折りたたみ構造のない汚濁防止膜とし、下側を上記折りたたみ構造を有する汚濁防止膜とする。かかる分割構造により、下側の折りたたみ構造を有する汚濁防止膜で上述のように水底の起伏の形状に追随するようにでき、かかる追随の作用が必要のない上側を通常の汚濁防止膜とすることができるので、汚濁防止膜全体を折りたたみ構造とするよりも汚濁防止膜の材料費・加工費を低減でき低コストにできる。
【発明の効果】
【００１６】
本発明によれば、水底に起伏が存在する場合でも汚濁防止膜の下端と水底との間に隙間が生じにくいようにした汚濁防止装置及び汚濁防止膜を提供することができる。
【図面の簡単な説明】
【００１７】
【図１】第１の実施形態による汚濁防止装置を水中に設置した様子を概略的に示す斜視図である。
【図２】図１の汚濁防止装置の汚濁防止膜を示す図であって、汚濁防止膜を下端側からみた要部概略図（ａ）、上面側からみた要部上面図（ｂ）、及びc-c線に沿って切断してみた要部断面図（ｃ）である。
【図３】図１，図２の汚濁防止装置を起伏のある水底に設置した様子を概略的に示す斜視図である。
【図４】図１の汚濁防止装置を概略的に示す上面図である。
【図５】図４の汚濁防止装置を概略的に示す側面図である。
【図６】第２の実施形態による汚濁防止装置を概略的に示す側面図である。
【図７】図２の汚濁防止膜の折りたたみ構造の変形例を説明するための図で図２（ｂ）と同様の図である。
【発明を実施するための形態】
【００１８】
以下、本発明を実施するための形態について図面を用いて説明する。
【００１９】
〈第１の実施形態〉
図１は第１の実施形態による汚濁防止装置を水中に設置した様子を概略的に示す斜視図である。図２は図１の汚濁防止装置の汚濁防止膜を示す図であって、汚濁防止膜を下端側からみた要部概略図（ａ）、上面側からみた要部上面図（ｂ）、及びc-c線に沿って切断してみた要部断面図（ｃ）である。図３は図１，図２の汚濁防止装置を起伏のある水底に設置した様子を概略的に示す斜視図である。
【００２０】
図１に示すように、汚濁防止装置１０は、水面Ｓに浮上可能な浮力体パイプ１１ａ，１１ｂ，１１ｃ，１１ｄを長方形状に配置して構成されたフロート部１１と、フロート部１１から水中で水底Ｇまでカーテン状に垂れ下がるように浮力体パイプ１１ａ〜１１ｄに取り付けられた汚濁防止膜１２と、浮力体パイプ１１ａ，１１ｂ，１１ｃ，１１ｄの上側にそれぞれ配置されたウィンチ２１ａ，２１ｂ，２１ｃ，２１ｄと、を備える。
【００２１】
浮力体パイプ１１ａ〜１１ｄは所定サイズの鋼管から構成できる。また、汚濁防止膜１２はポリエステル等の熱可塑性樹脂等からなるシートや布を用いて折り曲げ加工により折り目部で塑性変形させるようにして製造できる。
【００２２】
汚濁防止装置１０が図１のように水中に設置されると、浮力体パイプ１１ａ〜１１ｄからそれぞれ垂れ下がった汚濁防止膜１２が四方の壁面を構成することで、浮力体パイプ１１ａ〜１１ｄに囲まれた水面Ｓ１から水底Ｇまでの領域（工事水域）を包囲することができる。
【００２３】
図１の汚濁防止膜１２の構造について図２を参照して説明する。すなわち、汚濁防止膜１２は、図２（ａ）（ｂ）のように、折りたたみ部１２ａ，１２ｇ，１２ｍが面状になって一方の側に面し、同じく折りたたみ部１２ｄ，１２ｊ，１２ｐが面状になって他方の側に面するように繰り返して折りたたまれている。折りたたみ部１２ａ，１２ｇ，１２ｍ及び１２ｄ，１２ｊ，１２ｐは、図１、図２（ａ）の縦方向に細長く延びている。
【００２４】
図２（ｂ）のように、汚濁防止膜１２は、折りたたみ部１２ａの図の右端の折り目部１２ｂで折り曲げられてから折り目部１２ｃで反転して折り曲げられさらに折り目部１２ｅで反転して折り曲げられることで、折りたたみ部１２ｄが形成される。同様にして折り目部１２ｆ，１２ｈで折り曲げられることで折りたたみ部１２ｇが形成され、折り目部１２ｉ、１２ｋで折り曲げられることで折りたたみ部１２ｊが形成され、さらに、折り目部１２ｌ，１２ｎで折り曲げられることで折りたたみ部１２ｍが形成される。
【００２５】
上述のように、汚濁防止膜１２は、折り目部１２ｂ，１２ｃ，１２ｅ，１２ｆ，１２ｈ，１２ｉ，１２ｋ，１２ｌ，１２ｎ，１２ｏで折り曲げ方向が交互に反転して折りたたまれた折りたたみ部１２ａ，１２ｇ，１２ｍ及び１２ｄ，１２ｊ，１２ｐを有するように繰り返して折りたたまれている。
【００２６】
汚濁防止膜１２は、上述のように構成された折りたたみ部１２ａ，１２ｇ，１２ｍ及び１２ｄ，１２ｊ，１２ｐにおいて、図２（ｂ）の横方向及び縦方向に延びることができる。すなわち、汚濁防止膜１２は、図１のように水中に垂下して設置されたとき、その垂下方向に直交する方向である図２（ｂ）の横方向及び縦方向に延びて変形することができる。
【００２７】
また、図２（ｃ）のように、折りたたみ部１２ａの下端に折り返されて形成された袋状部１３ａを有し、袋状部１３ａ内には鉄棒やチェーンや石や砂利等からなる錘１３が充填されている。錘１３は各折りたたみ部１２ａ，１２ｇ，１２ｍ及び１２ｄ，１２ｊ，１２ｐ毎に設けられ、図２（ａ）の横方向に延びて配置されている。
【００２８】
なお、錘１３は図２（ｃ）のような構成に限定されず、他の構成であってもよく、例えば、各折りたたみ部の下端に単数または複数の分銅状の錘をロープやワイヤ等により取り付けるようにしてもよい。
【００２９】
次に、ウィンチ２１ａ〜２１ｄを用いた汚濁防止膜１２の吊り上げ構造について図４，図５を参照して説明する。図４は図１の汚濁防止装置１０の概略的な上面図である。図５は図１の汚濁防止装置の概略的な側面図である。
【００３０】
図４のように、浮力体パイプ１１ａ〜１１ｄ上にそれぞれウィンチ２１ａ，２１ｂ，２１ｃ，２１ｄが配置されている。図５のように、汚濁防止膜１２の下端１２ｚ（例えば、図２（ｃ）の袋状部１３ａの近傍）には、浮力体パイプ１１ａ上の複数のウィンチ２１ａ，２１ａ，２１ａの各ワイヤロープＷＲが接続されている。各ウィンチ２１ａを例えば手動で駆動してワイヤロープＷＲを巻き取ることで汚濁防止膜１２の下端１２ｚを吊り上げることができる。
【００３１】
各ウィンチ２１ａにより汚濁防止膜１２の下端１２ｚを吊り上げるとき、各ウィンチ２１ａ毎にワイヤロープＷＲの巻き取り量を調整して吊り上げ量を制御することで、汚濁防止膜１２の下端１２ｚの上下方向位置を水底Ｇの形状に合うように調整可能である。
【００３２】
また、浮力体パイプ１１ｂ〜１１ｄに設置されたウィンチ２１ｂ，２１ｃ，２１ｄにより汚濁防止膜１２の下端１２ｚを吊り上げるようにすることで、同様に汚濁防止膜１２の下端１２ｚの上下方向位置を水底Ｇの形状に合わせるように調整することができる。
【００３３】
なお、図１のように、工事水域の潮流や水流等の条件に応じて、汚濁防止装置１０の係留用ワイヤＷ２をフロート部１１の四隅等と水底Ｇに固定されたアンカー（図示省略）との間に斜め方向に張設するようにしてもよい。これにより、潮流等のため汚濁防止装置１０が不測に移動してしまうことを防止できる。
【００３４】
図１のように、汚濁防止装置１０は、長方形状のフロート部１１が所定の水域で水面Ｓに浮かんでその水面Ｓ１を包囲するように設置されることで、浮力体パイプ１１ａ〜１１ｄから水底Ｇまで垂れ下がる汚濁防止膜１２により水面Ｓ１から水底Ｇまでの工事水域を包囲することができる。これにより、水面Ｓ１下の工事水域において浚渫工事や埋立工事や杭打設工事等のために汚濁が発生してもその汚濁が工事水域から拡散してしまうことを抑制できる。
【００３５】
このとき、図３のように、汚濁防止装置１０を設置した水底Ｇに比較的大きな山形状の起伏Ｇ１が存在する場合、汚濁防止膜１２の下端が山形状の起伏Ｇ１に当たると、汚濁防止膜１２は、図２（ａ）の下端側の折りたたみ部１２ａ，１２ｇ，１２ｍ及び１２ｄ，１２ｊ，１２ｐで起伏Ｇ１の形状に沿うようにして延びて変形する。このようにして、汚濁防止膜１２は、水底Ｇに比較的大きな起伏Ｇ１があっても、その下端で起伏Ｇ１の形状に追随し、図２（ｃ）の錘１３のある下端が起伏Ｇ１の表面に当たって設置されるので、汚濁防止膜１２の折りたたみ部１２ａ，１２ｇ，１２ｍ及び１２ｄ，１２ｊ，１２ｐの下端と水底Ｇとの間に隙間ができにくくなり、その結果、図１の水面Ｓ１下の工事水域で汚濁が発生してもその汚濁が工事水域から拡散してしまうことを確実に抑制し防止できる。
【００３６】
また、浮力体パイプ１１ａ〜１１ｄに設置されたウィンチ２１ａ，２１ｂ，２１ｃ，２１ｄにより汚濁防止膜１２の下端１２ｚを吊り上げ、各ウィンチ毎に吊り上げ量を制御することで、汚濁防止膜１２の下端１２ｚの上下方向位置を調整し汚濁防止膜１２を水底Ｇの形状に確実に合わせて設置することができる。
【００３７】
〈第２の実施形態〉
図６は第２の実施形態による汚濁防止装置を概略的に示す側面図である。
【００３８】
第２の実施形態の汚濁防止装置は汚濁防止膜を分割構造とし下側の汚濁防止膜をウィンチ等の駆動手段により持ち上げ可能に構成したものであり、図１と同様の部分には同じ符号を付けてその説明を省略する。
【００３９】
図６の汚濁防止装置２０は、フロート部１１を構成する浮力体パイプ１１ａ，１１ｂ，１１ｃ，１１ｄの上側にウィンチ２１ａ，２１ｂ，２１ｃ，２１ｄがそれぞれ図４と同様に配置されている。この場合、ウィンチ２１ａ〜２１ｄの各台数は適宜増減できる。
【００４０】
図６のように、汚濁防止装置２０は、浮力体パイプ１１ａから垂れ下がる汚濁防止膜２２を備え、汚濁防止膜２２は、上側が折りたたみ部のない一枚物の第１汚濁防止膜２３であり、下側が図２と同様の折りたたみ構造を有する第２汚濁防止膜２４であり、上下方向に分割された分割構造となっている。第１汚濁防止膜２３と第２汚濁防止膜２４とは縫い合わせ等により一体化されている。
【００４１】
第１汚濁防止膜２３と第２汚濁防止膜２４との境界近傍の外壁面に汚濁防止膜２２を保持するように外枠管２５が横方向に配置されている。外枠管２５は外壁四面を包囲するように配置され、各面の汚濁防止膜２２にロープやワイヤ等により連結されている。
【００４２】
外枠管２５には、浮力体パイプ１１ａ上のウィンチ２１ａ，２１ａのワイヤロープＷＲが接続されている。外枠管２５は、ウィンチ２１ａ，２１ａを例えば手動で駆動してワイヤロープＷＲを巻き取ることで持ち上げ可能となっている。ウィンチ２１ａ，２１ａにより外枠管２５を持ち上げることで、下側の第２汚濁防止膜２４全体を持ち上げることができる。これにより、水底に大きな起伏があるときに生じる第２汚濁防止膜２４の弛みを除去するための弛み除去構造を構成できる。
【００４３】
汚濁防止装置２０は、浮力体パイプ１１ｂ〜１１ｄから垂れ下がる汚濁防止膜２２も図６と同様の構造を有し、その全体を図１と同様に構成できる。
【００４４】
図６の汚濁防止装置２０によれば、第１の実施形態と同様に所定の水域に配置されることで、工事水域において浚渫工事や埋立工事や杭打設工事等のために汚濁が発生してもその汚濁が工事水域から拡散してしまうことを抑制し防止できる。
【００４５】
また、図３のように、汚濁防止装置２０を設置した水底Ｇに比較的大きな山形状の起伏Ｇ１が存在する場合、下側の第１汚濁防止膜２４の下端が山形状の起伏Ｇ１に当たると、第２汚濁防止膜２４は、図２（ａ）〜（ｃ）と同様の構造の折りたたみ部において起伏Ｇ１の形状に沿うようにして延びて変形することで、水底Ｇに比較的大きな起伏Ｇ１があっても、第２汚濁防止膜２４の下端と水底Ｇとの間に隙間ができにくくなり、工事水域で汚濁が発生してもその汚濁の工事水域からの拡散を確実に抑制し防止できる。
【００４６】
また、図３のように水底Ｇに山形状の起伏Ｇ１が存在すると、第２汚濁防止膜２４の下端が起伏Ｇ１に当たるとともに汚濁防止膜２４に弛みが生じてしまうが、かかる弛みが生じる場合には、図４，図６のウィンチ２１ａ〜２１ｄを駆動しワイヤロープＷＲを巻き取ることで外枠管２５とともに第２汚濁防止膜２４全体を持ち上げる。かかる本実施形態の弛み除去構造により、水底Ｇの山形状の起伏Ｇ１のため第２汚濁防止膜２４に弛みが生じる場合でも、第２汚濁防止膜２４全体を持ち上げることで弛みを除去できる。第２汚濁防止膜２４に弛みが生じると、余分な膜部分が潮流などに煽られて工事水域内の浚渫工事や杭打設工事の障害となり易いが、かかる障害発生を防止できる。
【００４７】
図６のように、汚濁防止膜２２は、上側（水面側）の折りたたみ部のない通常の第１汚濁防止膜２３と、下側（水底側）の折りたたみ構造を有する汚濁防止膜２４と、を有し、上下方向に分割された分割構造であることで、汚濁防止膜２２全体を折りたたみ構造とするよりも汚濁防止膜の材料費・加工費を低減でき低コストにできる。
【００４８】
なお、図６の汚濁防止装置２０では、下側の折りたたみ部を有する第２汚濁防止膜２４の上下方向長さについては、予め本装置を使用する工事水域の水底の地盤形状を計測し、必要な変形長さを満足するように決定することが好ましい。
【００４９】
また、図６の汚濁防止装置２０において、ウィンチ２１ａ〜２１ｄのワイヤロープＷＲを図５と同様に下側の第２汚濁防止膜２４の下端に連結し、図５と同様に第２汚濁防止膜２４の下端を吊り上げることで第２汚濁防止膜２４の下端の上下方向位置を水底Ｇの形状に合わせるように調整するようにしてもよい。さらに、図６の第２汚濁防止膜２４の持ち上げ用ウィンチと、第２汚濁防止膜２４の下端の吊り上げ用ウィンチとを併設することで、第２汚濁防止膜２４全体の持ち上げと第２汚濁防止膜２４の下端の吊り上げとの両方の機能を有するようにしてもよい。
【００５０】
また、図６では外枠管２５を第１汚濁防止膜２３と第２汚濁防止膜２４との境界の近傍に配置し、第２汚濁防止膜２４を外枠管２５とともに持ち上げるように構成したが、これに限定されず、ウィンチからのワイヤロープＷＲを、外枠管２５を介さずに汚濁防止膜２２に連結することで第２汚濁防止膜２４を持ち上げるようにしてもよく、この場合、ワイヤロープＷＲの連結位置は、上記境界近傍、上記境界の上側または下側であってよく、連結位置に連結管や連結板等の連結手段を汚濁防止膜２２に横方向に設け、この連結管や連結板等にワイヤロープＷＲを連結し、第２汚濁防止膜２４を連結管または連結板とともに持ち上げるようにしてもよい。また、外枠管２５の位置は、外枠管２５を汚濁防止膜２２に連結する場合でもしない場合でも上下方向に適宜変更可能である。
【００５１】
以上のように本発明を実施するための形態について説明したが、本発明はこれらに限定されるものではなく、本発明の技術的思想の範囲内で各種の変形が可能である。例えば、汚濁防止膜の折りたたみ構造は、図２（ａ）（ｂ）の構造に限定されず、他の折りたたみ構造であってもよく、例えば、図７のような折りたたみ構造であってもよい。すなわち、図７のように、汚濁防止膜３２を図の横方向から縦方向に折り曲げてから、折り目部で交互に反転させて折り曲げることを繰り返すことで、折りたたみ部３２ａ〜３２ｉを重なり合い可能に形成した折りたたみ構造を構成できる。図７の折りたたみ構造によれば、汚濁防止膜３２は折りたたみ部３２ａ〜３２ｉで図の横方向に延びることができる。
【００５２】
また、図２（ａ）（ｂ）及び図７の折りたたみ構造では、汚濁防止膜全体に折りたたみ部を設けるようにしてよいが、全体ではなく、図２（ａ）（ｂ）、図７の折りたたみ部を図の横方向の一部に設け、他の部分に折りたたみ部を設けずに、横方向に折りたたみ部のある部分とない部分とを交互に設けた構造としてもよい。
【００５３】
また、本実施形態の汚濁防止装置は、フロート部を矩形の枠形状にし、工事水域を完全に包囲する構成としたが、本発明これに限定されず、汚濁防止対象である工事水域の位置や形状に応じて、フロート部の平面配置をＬ形状や直線状等にしてもよいことはもちろんである。浮力体パイプ１１ａ〜１１ｄは、円筒管であってよいが、これに限定されず、角筒管等であってもよい。
【００５４】
また、各実施形態において各浮力体パイプ１１ａ〜１１ｄに設置する各ウィンチ２１ａ〜２１ｄの台数は、浮力体パイプの長さや吊り上げの必要性等に応じて適宜増減してよいことはもちろんである。
【産業上の利用可能性】
【００５５】
本発明の汚濁防止装置によれば、浚渫工事や埋立工事や杭打設工事等が行われる工事水域に設置されることで、汚濁防止装置の汚濁防止膜が設置される水底に起伏がある場合でも、工事に伴って発生する汚濁が工事水域外に拡散して水質汚染を起こすことを防止できる。また、本発明の汚濁防止膜によれば、かかる汚濁防止装置に装着して使用できる。
【符号の説明】
【００５６】
１０，２０ 汚濁防止装置
１１ フロート部
１２，２２，３２ 汚濁防止膜
１２ａ，１２ｇ，１２ｍ，１２ｄ，１２ｊ，１２ｐ１２ａ 折りたたみ部
１２ｚ 汚濁防止膜の下端
１３ 錘
２１ａ〜２１ｄ ウィンチ（駆動手段）
２３ 第１汚濁防止膜
２４ 第２汚濁防止膜
２５ 外枠管
３２ａ〜３２ｉ 折りたたみ部
Ｇ 水底
Ｇ１ 起伏
【図１】
2010189892.tif 000003
【図２】
2010189892.tif 000004
【図３】
2010189892.tif 000005
【図４】
2010189892.tif 000006
【図５】
2010189892.tif 000007
【図６】
2010189892.tif 000008
【図７】
2010189892.tif 000009